(57)【特許請求の範囲】
【請求項１】
プラグと接続されるレセプタクルのシールドケースであって、前方に向けて開口したプラグ挿入用の開口部を有し、該開口部に挿入されたプラグの嵌合部を包囲するように上面壁と下面壁と左右側面壁とを備えた角筒形状のシールドケースであって、
前記開口部を有すると共に前記上面壁と下面壁と左右側面壁とを備え、該左右側面壁に透孔を有するシールドケース本体と、該シールドケース本体の前記左右側面壁の外側に重ね合わせて固定された補助側壁と、を備え、
前記補助側壁に、前記透孔から前記シールドケース本体の内部に自由端が突出し、前記シールドケース本体の内部に前記プラグが挿入されたときに、該プラグ側のシールドケースに押圧接触するバネ片が一体に形成されていることを特徴とするレセプタクルのシールドケース。
【請求項２】
前記補助側壁の下端に突片が突設されており、該突片が、回路基板に前記レセプタクルを実装するときに回路基板にレセプタクルを固定するための基板固定用端子とされていることを特徴とする請求項１に記載されたレセプタクルのシールドケース。
【請求項３】
前記シールドケース本体の左右側面壁の下端に突片が突設されており、該突片が、回路基板に前記レセプタクルを実装するときに回路基板にレセプタクルを固定するための基板固定用端子とされていることを特徴とする請求項１に記載されたレセプタクルのシールドケース。
【請求項４】
前記シールドケース本体の左右側面壁の下端に突片が突設されており、該突片が、前記補助側壁の下端に突設された突片と重ね合わされることで、前記基板固定用端子とされていることを特徴とする請求項２に記載されたレセプタクルのシールドケース。
【請求項５】
前記補助側壁が、前記シールドケース本体に一体に延設された延長板を折り曲げることで形成されていることを特徴とする請求項１〜４のいずれか１項に記載のレセプタクルのシールドケース。
【請求項６】
前記延長板が、前記シールドケース本体の左右側面壁の後端に延設されており、該延長板を前方に向けて１８０°折り返すことで前記補助側壁が構成され、該補助側壁の前端が、前記シールドケース本体の左右側面壁の形成された係止部によって係止されていることを特徴とする請求項５に記載されたレセプタクルのシールドケース。
【請求項７】
前記補助側壁が、前記シールドケース本体と別体に形成された上で、前記シールドケース本体の左右側面壁の外側に重ね合わせて固定されていることを特徴とする請求項１〜４のいずれか１項に記載のレセプタクルのシールドケース。
【発明の詳細な説明】
【技術分野】
【０００１】
本発明は、プラグと接続されるレセプタクル（レセプタクルコネクタとも呼ばれる）のシールドケース（シェルとも呼ばれる）に係り、例えば、シェルを必要とする高速伝送用コネクタのレセプタクルのシールドケースに関するものである。
【背景技術】
【０００２】
図８は非特許文献１に開示された従来例のレセプタクルの構成を示す斜視図である。
このレセプタクル１０１は、シールドケース１１１と、シールドケース１１１に装着されたインシュレータ１０２と、インシュレータ１０２に保持された複数のコンタクト１０３とからなる。
【０００３】
シールドケース１１１は、前方に向けて開口したプラグ挿入用の開口部１１２を有し、この開口部１１２に挿入されたプラグ（図示略）の嵌合部を包囲するように、上面壁１１１Ａと、下面壁１１１Ｃと、左右側面壁１１１Ｂと、下面壁１１１Ｃと左右側面壁１１１Ｂとを繋ぐ傾斜壁１１１Ｄと、を備えた角筒形状をなしている。
【０００４】
上面壁１１１Ａには、コ字状の打ち抜き溝１１３が形成されることで、自由端をシールドケース１１１内部に突出させたロック用バネ１１５が設けられ、そのロック用バネ１１５の自由端がシールドケース１１１の内部に挿入されたプラグを押えるようになっている。また、傾斜壁１１１Ｄから下面壁１１１Ｃにかけてコ字状の打ち抜き溝１２１が形成されることで、左右側面壁１１１Ｂの下端に基板固定用の端子１２３、１２４が突設されており、シールドケース１１１の下面壁１１１Ｃを、実装しようとする回路基板の上に載せ、基板固定用の端子１２３、１２４を、回路基板のスルーホール等に挿入して半田付けすることで、レセプタクル１０１を回路基板に固定できるようになっている。なお、基板固定用の端子１２３、１２４を切り起こした部分は、孔として残っている。
【０００５】
図９は別の従来例のレセプタクルの構成を示す斜視図である。
このレセプタクル２０１は、シールドケース２１１と、シールドケース２１１に装着されたインシュレータ２０２と、インシュレータ２０２に保持された複数のコンタクト２０３とからなる。
【０００６】
シールドケース２１１は、前方に向けて開口したプラグ挿入用の開口部２１２を有し、この開口部２１２に挿入されたプラグ（図示略）の嵌合部を包囲するように、上面壁２１１Ａと、下面壁２１１Ｃと、左右側面壁２１１Ｂと、下面壁２１１Ｃと左右側面壁２１１Ｂとを繋ぐ傾斜壁２１１Ｄと、を備えた角筒形状をなしている。
【０００７】
左右側面壁２１１Ｂには、開口部２１２からシールドケース２１１内部に挿入されたプラグを押えるバネ部２２２が設けられている。また、左右側面壁２１１Ｂの下端には、シールドケース２１１の下面壁２１１Ｃや傾斜壁２１１Ｄなどを打ち抜くことで形成された基板固定用の端子２２３、２２４が突設されており、シールドケース２１１の下面壁２１１Ｃを、実装しようとする回路基板の上に載せ、基板固定用の端子２２３、２２４を、回路基板のスルーホール等に挿入して半田付けすることで、レセプタクル２０１を回路基板に固定できるようになっている。この場合も、基板固定用の端子２２３、２２４を切り起こした部分は、孔として残っている。
【先行技術文献】
【非特許文献】
【０００８】
【非特許文献１】日本モレックス株式会社のホームページ：http://www.molex.com/pdm_docs/sd/467651001_sd.pdf（２０１０年９月検索）
【発明の概要】
【発明が解決しようとする課題】
【０００９】
ところで、上述した従来のレセプタクルのシールドケース１１１、２１１は、ＧＮＤ（グランド）接続用のバネ性を持った明確な接点部がなかったので、ＧＮＤ接続（プラグ側のシールドケースとレセプタクル側のシールドケースの電気的な接続）が不安定であった。例えば、図８のシールドケース１１１のロック用バネ１１５や図９のシールドケース２１１のバネ部２２２をＧＮＤ接点部として機能させる場合でも、それらのバネ（ロック用バネ１１５やバネ部２２２）を、シールドケース１１１、２１１の周壁（上面壁１１１Ａ、２１１Ａ、下面壁１１１Ｃ、２１１Ｃ、左右側面壁１１１Ｂ、２１１Ｂ、傾斜壁１１１Ｄ、２１１Ｄなど）の一部で構成しているので、その構成上の制約から強いバネ性を持たせることが難しかった。
【００１０】
本発明は、上述した事情に鑑みてなされたものであり、その目的は、ＧＮＤ接点部として機能させることのできるバネ片のバネ性の強度を、シールドケース周壁の制約を受けずにできるだけ自由に設定できるようにして、ＧＮＤ接続の安定化を図れるようにしたレセプタクルのシールドケースを提供することにある。
【課題を解決するための手段】
【００１１】
前述した目的を達成するために、本発明に係るレセプタクルのシールドケースは、下記（１）〜（７）を特徴としている。
（１）  プラグと接続されるレセプタクルのシールドケースであって、前方に向けて開口したプラグ挿入用の開口部を有し、該開口部に挿入されたプラグの嵌合部を包囲するように上面壁と下面壁と左右側面壁とを備えた角筒形状のシールドケースであって、
前記開口部を有すると共に前記上面壁と下面壁と左右側面壁とを備え、該左右側面壁に透孔を有するシールドケース本体と、該シールドケース本体の前記左右側面壁の外側に重ね合わせて固定された補助側壁と、を備え、
前記補助側壁に、前記透孔から前記シールドケース本体の内部に自由端が突出し、前記シールドケース本体の内部に前記プラグが挿入されたときに、該プラグ側のシールドケースに押圧接触するバネ片が一体に形成されていること。
（２）  上記（１）の構成のレセプタクルのシールドケースにおいて、
前記補助側壁の下端に突片が突設されており、該突片が、回路基板に前記レセプタクルを実装するときに回路基板にレセプタクルを固定するための基板固定用端子とされていること。
（３）  上記（１）の構成のレセプタクルのシールドケースにおいて、
前記シールドケース本体の左右側面壁の下端に突片が突設されており、該突片が、回路基板に前記レセプタクルを実装するときに回路基板にレセプタクルを固定するための基板固定用端子とされていること。
（４）  上記（２）の構成のレセプタクルのシールドケースにおいて、
前記シールドケース本体の左右側面壁の下端に突片が突設されており、該突片が、前記補助側壁の下端に突設された突片と重ね合わされることで、前記基板固定用端子とされていること。
（５）  上記（１）〜（４）の構成のレセプタクルのシールドケースにおいて、
前記補助側壁が、前記シールドケース本体に一体に延設された延長板を折り曲げることで形成されていること。
（６）  上記（５）の構成のレセプタクルのシールドケースにおいて、
前記延長板が、前記シールドケース本体の左右側面壁の後端に延設されており、該延長板を前方に向けて１８０°折り返すことで前記補助側壁が構成され、該補助側壁の前端が、前記シールドケース本体の左右側面壁の形成された係止部によって係止されていること。
（７）  上記（１）〜（４）の構成のレセプタクルのシールドケースにおいて、
前記補助側壁が、前記シールドケース本体と別体に形成された上で、前記シールドケース本体の左右側面壁の外側に重ね合わせて固定されていること。
【００１２】
上記（１）の構成のシールドケースによれば、角筒形状のシールドケース本体の左右側面壁の外側に補助側壁を重ね合わせて設け、その補助側壁にバネ片を一体に設け、そのバネ片の自由端を、シールドケース本体の左右側面壁に設けた透孔からシールドケース本体の内部に突出させて、シールドケース本体の内部にプラグが挿入されたときに、プラグ側のシールドケースに押圧接触するようにしているので、バネ片のバネ強度を、シールドケース本体の周壁に制約されずに強めに設定することができ、プラグ側のシールドケースとの接触力を高めることができる。また、シールドケース本体の周壁（左右側面壁）には、バネ片を形成するための孔や溝ではなく、バネ片の自由端を挿入できる大きさの透孔を設けておくだけでよいため、シールドケース本体の周壁に余計な欠落部を設ける必要がなく、シールドケース本体のシェルとしての強度を十分に高く維持することができると共に、シールドケース本体の形状の簡素化を図ることができる。
上記（２）の構成のシールドケースによれば、補助側壁の下端に突片を突設し、その突片を、回路基板にレセプタクルを実装するときに回路基板にレセプタクルを固定するための基板固定用端子としているので、シールドケース本体の周壁の一部を切り起こして基板固定用端子を作るのと違い、シールドケース本体の周壁に余計な孔を開けずに、自由に基板固定用端子を作ることができ、強度の高い基板固定用端子を形成することができる。また、シールドケース本体の下面壁や傾斜壁の一部を切り起こして基板固定用端子を作る場合は、切り起こした部分が孔として残るので、半田付け時にその孔からフラックスがシールドケース本体内部に侵入するおそれがあるが、その心配を無くすこともできる。
上記（３）の構成のシールドケースによれば、シールドケース本体の左右側面壁の下端に突片を突設し、その突片を、回路基板にレセプタクルを実装するときに回路基板にレセプタクルを固定するための基板固定用端子としている。
上記（４）の構成のシールドケースによれば、シールドケース本体の左右側面壁の下端に突片を突設し、その突片を、補助側壁の下端に突設した突片と重ね合わせることで基板固定用端子としているので、より強度の高い基板固定用端子を形成することができ、回路基板への実装強度の向上が図れる。
上記（５）の構成のシールドケースによれば、補助側壁を、シールドケース本体に一体に延設された延長板を折り曲げることで形成しているので、一貫したプレス工程だけで製造することができ、製造コストの低減が図れる。
上記（６）の構成のシールドケースによれば、補助側壁を構成する延長板が、シールドケース本体の左右側面壁の後端に延設されており、その延長板を前方に向けて１８０°折り返すことで補助側壁が構成されているので、シールドケース本体の前端付近の形状を無理に複雑化しないですみ、プラグを挿入する上で精度の必要な開口部の周囲の歪みの発生を抑えることができる。また、折り曲げて形成した補助側壁の後端を折り曲げ部で支持し、前端を係止部で支持しているので、補助側壁をシールドケース本体の側面壁に強固に密着固定させておくことができる。従って、バネ片の支持強度が高まることで、安定したバネ力を発揮させることができる。
上記（７）の構成のシールドケースによれば、補助側壁を、シールドケース本体と別体に形成した上で、シールドケース本体の左右側面壁の外側に重ね合わせて固定しているので、補助側壁の製作の容易化を図ることができる。また、シールドケース本体を構成する材料とは別に補助側壁の材料を選ぶことができるので、バネ片のバネ力の設定の自由度が増す。例えば、シールドケース本体と補助側壁の材料の厚みを違えることで、バネ片のバネ強度を強めに設定することが容易にできるようになる。
【発明の効果】
【００１３】
本発明によれば、ＧＮＤ接点部として機能させるバネ片のバネ強度を、シールドケース本体の周壁に制約されずに強めに設定することができる。従って、プラグ側のシールドケースとの接触力を高めることができ、ＧＮＤ接続の安定化を図ることができる。
【００１４】
以上、本発明について簡潔に説明した。更に、以下に説明される発明を実施するための形態を添付の図面を参照して通読することにより、本発明の詳細は更に明確化されるであろう。
【図面の簡単な説明】
【００１５】
【図１】本発明の実施形態のシールドケースを使用したレセプタクルの前方斜め上から見た斜視図である。
【図２】同レセプタクルを前方斜め横から見た斜視図である。
【図３】同レセプタクルの正面図である。
【図４】同レセプタクルの後方斜め上から見た斜視図である。
【図５】同レセプタクルに使用するシールドケースの前方斜め上から見た斜視図である。
【図６】同シールドケースを前方斜め横から見た斜視図である。
【図７】同シールドケースの補助側壁を折り曲げる前の状態を示す斜視図である。
【図８】従来のレセプタクルの第１例を示す斜視図である。
【図９】従来のレセプタクルの第２例を示す斜視図である。
【発明を実施するための形態】
【００１６】
以下、本発明の実施形態を図面を参照して説明する。
図１〜図４は実施形態のシールドケースを使用したレセプタクルの構成を示す斜視図、図５及び図６は同レセプタクルに使用するシールドケースの構成を示す斜視図、図７は同シールドケースの補助側壁を折り曲げる前の状態を示す斜視図である。
【００１７】
図１〜図４に示すように、このレセプタクル１は、オス側コネクタであるプラグと接続されるメス側のコネクタであり、角筒形状のシールドケース１０と、シールドケース１０にその後端開口から装着されたインシュレータ２と、インシュレータ２に保持された複数のコンタクト３とからなる。
【００１８】
シールドケース１０は、図１〜図６に示すように、角筒形状のシールドケース本体１１と、２枚の補助側壁２０とからなる。シールドケース本体１１は、前方に向けて開口したプラグ挿入用の開口部１２を有し、この開口部１２に挿入されたプラグ（図示略）の嵌合部を包囲するように、上面壁１１Ａと、下面壁１１Ｃと、左右側面壁１１Ｂと、下面壁１１Ｃと左右側面壁１１Ｂとを繋ぐ傾斜壁１１Ｄと、を備えた角筒形状をなしている。シールドケース本体１１の左右側面壁１１Ｂには、矩形の透孔１４（図７参照）が形成され、その透孔１４の内側片を外側に曲げ起こすことで、補助側壁２０の前端を係止する係止片（係止部）１９が形成されている。
【００１９】
補助側壁２０は、矩形板状のもので、シールドケース本体１１の左右側面壁１１Ｂの外側に重ね合わせて固定されている。この実施形態の場合、補助側壁２０は、シールドケース本体１１と一体の金属板をプレス加工することで形成されており、シールドケース本体１１に一体に延設された延長板を折り曲げることで形成されている。
【００２０】
即ち、図７に示すように、延長板２０Ｐは、シールドケース本体１１の左右側面壁１１Ｂの後端に延設されており、この延長板２０Ｐを折り曲げ部２０Ａにより前方に向けて１８０°折り返すことで、補助側壁２０が構成されている。そして、図５及び図６に示すように、補助側壁２０の前端に設けた係合凹部２５に、シールドケース本体１１に形成した係止片１９を嵌めて加締めることによって、補助側壁２０の前端がシールドケース本体１１の左右側面壁１１Ｂの外面に密着固定されている。なお、折り曲げ部２０Ａは、折り曲げやすいように細幅の帯板状に形成されている。
【００２１】
補助側壁２０には、透孔１４からシールドケース本体１１の内部に自由端２２Ｂが突出し、シールドケース本体１１の内部にプラグが挿入されたときに、プラグ側のシールドケースに押圧接触する帯板状のバネ片２２が一体に形成されている。バネ片２２は、コ字状の打ち抜き溝２１の内側片により構成されており、固定端２２Ａが補助側壁２０の後端側に位置し、自由端２２Ｂが補助側壁２０の前端側に向かって延びた片持バネとして形成されている。自由端２２Ｂはシールドケース本体１１の内部側に向かって傾斜しており、その自由端２２Ｂが、シールドケース本体１１の側面壁１１Ｂに形成された透孔１４を通して、シールドケース本体１１の内部に突出している。なお、バネ片２２の自由端２２Ｂはへの字状に曲げられており、プラグを受け入れやすくなっている。
【００２２】
また、補助側壁２０の下端には前後に離間して突片２３、２４が突設されており、これら突片２３、２４が、回路基板にレセプタクル１を実装するときに回路基板にレセプタクルを固定するための基板固定用端子とされている。後側の突片２４に対応したシールドケース本体１１の左右側面壁１１Ｂの下端にも突片１８が突設されており、この突片１８が、補助側壁２０の下端に突設された後側の突片２４と重ね合わされることで、基板固定用端子とされている。レセプタクル１を回路基板に実装する場合は、シールドケース本体１１の下面壁１１Ｃを、実装しようとする回路基板の上に載せ、基板固定用端子としての突片２３、２４、１８を回路基板のスルーホール等に挿入して半田付けすることで、レセプタクル１を回路基板に固定することができる。
【００２３】
また、シールドケース本体１１の上面の幅方向の両端付近には、上面壁１１Ａの後端部から前方に折り返されて前方側に延びる一対のアーム１５が設けられている。各アーム１５の自由端には、シールドケース本体１１の上面壁１１Ａに形成した孔１３からシールドケース本体１１の内部に突出するストッパ部１７とプラグ拾い部１６とが設けられている。
【００２４】
ストッパ部１７は、非正規プラグ（正規プラグより幅の小さいプラグ）が開口部１２に挿入されたときに、非正規プラグと干渉して、それ以上の非正規プラグの挿入を阻止するためのもので、非正規プラグに干渉する幅方向内側の位置に配置されている。プラグ拾い部１６は、非正規プラグより幅広の正規プラグが開口部１２に挿入されたとき、ストッパ部１７より先に正規プラグと干渉し、正規プラグに押されてアーム１５を撓ませ、ストッパ部１７を正規プラグの挿入経路外に退避させるためのものである。
【００２５】
この場合、正規プラグの例としては、ＨＤＭＩ  Ｔｙｐｅ−Ｄ（ＨＤＭＩマイクロともいう）用プラグが挙げられる。また、非正規プラグの例としては、ＨＤＭＩ用プラグよりもシールドケースの横幅が短く、シールドケースの横幅がプラグ拾い部１６間の距離よりも短い小型のデジタルカメラ用ＵＳＢプラグが挙げられる。
【００２６】
次に作用を説明する。
このレセプタクル１を回路基板に固定する場合には、基板固定用の端子として機能する突片２３、２４、１８を、回路基板にスルーホールに挿入して半田付けすることで固定することができる。その状態でシールドケース本体１１の開口部１２に正規のプラグを挿入すると、プラグがプラグ拾い部１６に干渉してアーム１５を撓ませ、ストッパ部１７を退避させる。それにより、プラグを適正位置まで挿入することができる。その状態で、シールドケース１０のバネ片２２がプラグのシールドケースに強く押圧接触するので、安定したＧＮＤ接続が達成される。
【００２７】
この場合、角筒形状のシールドケース本体１１の左右側面壁１１Ｂの外側に補助側壁２０を重ね合わせて設け、その補助側壁２０にバネ片２２を一体に設け、そのバネ片２２の自由端を、シールドケース本体１１の左右側面壁１１Ｂに設けた透孔１４からシールドケース本体１１の内部に突出させているので、バネ片２２のバネ強度を、シールドケース本体１１の周壁に制約されずに強めに設定することができ、プラグ側のシールドケースとの接触力を高めることができる。また、シールドケース本体１１の周壁（左右側面壁１１Ｂ）には、バネ片２２を形成するための孔や溝ではなく、バネ片２２の自由端を挿入できる大きさの透孔１４を設けておくだけでよいため、シールドケース本体１１の周壁に余計な欠落部を設ける必要がなく、シールドケース本体１１のシェルとしての強度を十分に高く維持することができると共に、シールドケース本体１１の形状の簡素化を図ることができる。
【００２８】
また、補助側壁２０の下端に突片２３、２４を突設し、その突片２３、２４を、回路基板にレセプタクルを実装するときに回路基板にレセプタクルを固定するための基板固定用端子としているので、シールドケース本体１１の周壁の一部を切り起こして基板固定用の端子を作るのと違い、シールドケース本体１１の周壁に余計な孔を開けずに、自由に基板固定用の端子を作ることができ、強度の高い基板固定用の端子を形成することができる。また、従来例のように、シールドケース本体１１の下面壁１１Ｃや傾斜壁１１Ｄの一部を切り起こして基板固定用端子を作る場合は、切り起こした部分が孔として残るので、半田付け時にその孔からフラックスがシールドケース本体内部に侵入するおそれがあるが、本実施形態のシールドケース１０によれば、その心配を無くすこともできる。
【００２９】
また、シールドケース本体１１の左右側面壁１１Ｂの下端に突片１８を突設し、その突片１８を、補助側壁２０の下端に突設した突片２４と重ね合わせることで基板固定用端子としているので、より強度の高い基板固定用端子を形成することができ、回路基板への実装強度の向上が図れる。
【００３０】
また、補助側壁２０を、シールドケース本体１１に一体に延設された延長板２０Ｐを折り曲げることで形成しているので、一貫したプレス工程だけで製造することができ、製造コストの低減が図れる。特に、補助側壁２０を構成する延長板２０Ｐが、シールドケース本体１１の左右側面壁１１Ｂの後端に延設されており、その延長板２０Ｐを前方に向けて１８０°折り返すことで補助側壁２０が構成されているので、シールドケース本体１１の前端付近の形状を無理に複雑化しないですみ、プラグを挿入する上で精度の必要な開口部の周囲の歪みの発生を抑えることができる。
【００３１】
また、折り曲げて形成した補助側壁２０の後端を折り曲げ部２０Ａで支持し、前端を係止片１９で支持しているので、補助側壁２０をシールドケース本体１１の左右側面壁１１Ｂに強固に密着固定させておくことができる。従って、バネ片２２の支持強度が高まることで、安定したバネ力を発揮させることができる。
【００３２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３３】
例えば、上記実施形態では、補助壁部２０をシールドケース本体１１に一体に形成していたが、補助側壁２０を、シールドケース本体１１と別体に形成した上で、シールドケース本体１１の左右側面壁１１Ｂの外側に重ね合わせて固定してもよい。
【００３４】
そのようにした場合、補助側壁２０の製作の容易化を図ることができる。また、シールドケース本体１１を構成する材料とは別に補助側壁２０の材料を選ぶことができるので、バネ片２２のバネ力の設定の自由度が増す。例えば、シールドケース本体１１と補助側壁２０の材料の厚みを違えることで、バネ片２２のバネ強度を強めに設定することが容易にできるようになる。
【符号の説明】
【００３５】
１  レセプタクル
２  インシュレータ
３  コンタクト
１０  シールドケース
１１  シールドケース本体
１１Ａ  上面壁
１１Ｂ  側面壁
１１Ｃ  下面壁
１２  開口部
１４  透孔
１８  突片
１９  係止片（係止部）
２０  補助側壁
２０Ｐ  延長板
２０Ａ  折り曲げ部
２２  バネ片
２２Ｂ  自由端
２３，２４  突片
【図１】
0005473073.tif 000002
【図２】
0005473073.tif 000003
【図３】
0005473073.tif 000004
【図４】
0005473073.tif 000005
【図５】
0005473073.tif 000006
【図６】
0005473073.tif 000007
【図７】
0005473073.tif 000008
【図８】
0005473073.tif 000009
【図９】
0005473073.tif 000010